(57)【特許請求の範囲】
【請求項１】
ダウンリンクチャネルで送信機から送信されるデータを受信機において受信する段階と、
第１のアップリンクチャネルまたは第２のアップリンクチャネルで前記送信機にチャネル品質データをフィードバックする段階と
を備え、
チャネル品質データは、前記第１のアップリンクチャネルにおいてより低いレートでフィードバックされ、チャネル品質データは、フィードバックすべきデータの量がより多い場合には、前記第２のアップリンクチャネルにおいてより高いレートでフィードバックされ、
前記チャネル品質データをフィードバックする段階は、前記ダウンリンクチャネル及び前記第２のアップリンクチャネルの両方に対して電力制御を行うために利用される基準値を前記第１のアップリンクチャネルを用いて提供する段階を有し、これにより前記第２のアップリンクチャネルにおいて前記受信機が最小の信号対干渉およびノイズ比（ＳＩＮＲ）を実現して最低限の変調符号化方式（ＭＣＳ）レベルがサポートされるようにアップリンク電力制御が行なわれ、
前記チャネル品質データをフィードバックする段階は、前記第２のアップリンクチャネルにおいて当該第２のアップリンクチャネルにおける送信レートを選択するべくリンク適応化を利用する段階を有し、
前記送信レートは、チャネル状況またはユーザ位置またはこれらの組み合わせに少なくとも部分的に基づいて選択され、
前記チャネル品質データをフィードバックする段階は、前記第２のアップリンクチャネルでチャネル品質データのフィードバックが開始すると前記ダウンリンクチャネルの送信レートがチャネル測定結果に少なくとも部分的に基づいて調整されるように、当該第２のアップリンクチャネルにおけるアップリンク専用パイロットを送信する段階を更に有する、方法。
【請求項２】
前記チャネル品質データは、前記第１のアップリンクチャネルでは周期的にフィードバックされ、前記第２のアップリンクチャネルでは、フィードバックすべき第２のアップリンクチャネルデータがあれば、要求に応じてフィードバックされる請求項１に記載の方法。
【請求項３】
前記第２のアップリンクチャネルについて、一の符号化ブロックを一のタイル構造にマッピングする段階をさらに備え、前記マッピングは、１以上の符号化ブロックを第１の数の部分に分割して前記マッピングをより少ない数の情報ビットについて反復することによって行われるか、または、より大きい数の情報ビットについて前記マッピングを反復することなく１以上の符号化ブロックを第２の数の部分に分割することによって行なわれる請求項１または２に記載の方法。
【請求項４】
前記第２のアップリンクチャネルにおけるユーザのチャネル状況および／またはフィードバックすべきデータの量、または、これらの組み合わせに少なくとも部分的に基づき、前記第２のアップリンクチャネルにおける１以上の送信パラメータを適応化する段階をさらに備える請求項１から３のいずれか１項に記載の方法。
【請求項５】
前記第２のアップリンクチャネルでフィードバックする段階は、前記受信する段階のために、多入力多出力通信、フラクショナル・フリークエンシ・リユース、または、フリークエンシ・セレクティブ・スケジューリング、または、これらの組み合わせのうち少なくとも１つについて、コードワードデータ毎の実効信号対干渉およびノイズ比、送信ランクデータ、または、プリコーディングマトリクスインデックスデータ、または、これらの組み合わせをフィードバックする段階を有する請求項１から４のいずれか１項に記載の方法。
【請求項６】
ドップラー速度を取得するべく２つ以上のサブキャリアのチャネル遅延拡散に少なくとも部分的に基づいてチャネル相関を推定する段階と、
前記ドップラー速度を、２つ以上の速度についての前記チャネル相関に関して事前に算出された値と比較する段階と
をさらに備える請求項１から５のいずれか１項に記載の方法。
【請求項７】
信号対干渉およびノイズ比がより高いユーザは、より高いレートでチャネル品質指標を送信し、前記第２のアップリンクチャネルは、所定数のフレーム内で送信すべきデータがない場合には停止させる請求項１から６のいずれか１項に記載の方法。
【請求項８】
前記第１のアップリンクチャネルまたは前記第２のアップリンクチャネルまたはこれらの組み合わせでフィードバックする段階は、前記第１のアップリンクチャネルまたは前記第２のアップリンクチャネルの並び替えモードに少なくとも部分的に基づいて、周波数対サブキャリアのタイル構造を選択する段階、または、前記第１のアップリンクチャネルまたは前記第２のアップリンクチャネルまたはこれらの組み合わせについてのチャネル測定を容易にするべく前記タイル構造において１以上のパイロット信号をインターレースする段階を有する請求項１から７のいずれか１項に記載の方法。
【請求項９】
前記第１のアップリンクチャネルにおいてデータを符号化するべく準直交シーケンスを利用する段階をさらに備える請求項１から８のいずれか１項に記載の方法。
【請求項１０】
前記第２のアップリンクチャネルについて、ペイロードデータを、前記フィードバックの情報の形式に応じてサイズが可変のブロックへと符号化する段階をさらに備え、所定のサイズ以下のペイロードデータは、一の線形ブロック符号を用いて第１の数のビットに符号化され、前記所定のサイズよりも大きいペイロードデータは、複数の線形ブロック符号を用いて第２の数のビットのブロックを２つ以上反復することによって符号化される請求項１から９のいずれか１項に記載の方法。
【請求項１１】
ダウンリンクチャネルで受信機にデータを送信する段階と、
第１のアップリンクチャネルまたは第２のアップリンクチャネルで前記受信機からチャネル品質データを受信する段階と、
前記受信する段階において受信した前記チャネル品質データに少なくとも部分的に基づいて前記第１のアップリンクチャネルについて１以上のリソースを割り当てる段階と
を備え、
チャネル品質データは、前記第１のアップリンクチャネルにおいてより低いレートで受信され、チャネル品質データは、フィードバックすべきデータの量がより大きい場合に前記第２のアップリンクチャネルにおいてより高いレートで受信され、
前記受信する段階は、前記ダウンリンクチャネル及び前記第２のアップリンクチャネルの両方に対して電力制御を行うために利用される基準値を前記第１のアップリンクチャネルを用いて受信する段階を有し、これにより前記第２のアップリンクチャネルにおいて前記受信機が最小の信号対干渉およびノイズ比（ＳＩＮＲ）を実現して最低限の変調符号化方式（ＭＣＳ）レベルがサポートされるようにアップリンク電力制御が行なわれ、
前記受信する段階は、リンク適応化を用いて選択される送信レートでデータを第２のアップリンクチャネルで受信する段階を有し、
前記送信レートは、チャネル状況またはユーザ位置またはこれらの組み合わせに少なくとも部分的に基づいて選択され、
前記第２のアップリンクチャネルでチャネル品質データのフィードバックが開始すると、前記第２のアップリンクチャネルにおけるアップリンク専用パイロットを用いて、チャネル測定結果に少なくとも部分的に基づいて、前記ダウンリンクチャネルの送信レートを調整する、方法。
【請求項１２】
前記チャネル品質データは、前記第１のアップリンクチャネルでは周期的に受信され、前記第２のアップリンクチャネルでは、フィードバックすべき第２のアップリンクチャネルデータがある場合には、要求に応じて受信される請求項１１に記載の方法。
【請求項１３】
前記第２のアップリンクチャネルについて、一のタイル構造にマッピングされている一の符号化ブロックを復号化する段階をさらに備え、前記マッピングは、１以上の符号化ブロックを第１の数の部分に分割して前記マッピングをより少ない数の情報ビットについて反復することによって行われるか、または、より大きい数の情報ビットについて前記マッピングを反復することなく１以上の符号化ブロックを第２の数の部分に分割することによって行なわれる請求項１１または１２に記載の方法。
【請求項１４】
前記受信する段階は、前記第２のアップリンクチャネルにおけるユーザのチャネル状況またはフィードバックすべきデータの量またはこれらの組み合わせに少なくとも部分的に基づいて適応化された１以上の送信パラメータを少なくとも用いて、前記第２のアップリンクチャネルにおいてデータを受信する段階を有する請求項１１から１３のいずれか１項に記載の方法。
【請求項１５】
ドップラー速度を取得するべく２つ以上のサブキャリアのチャネル遅延拡散に少なくとも部分的に基づいてチャネル相関を推定する段階と、
前記ドップラー速度を、２つ以上の速度についての前記チャネル相関に関して事前に算出された値と比較する段階と
をさらに備える請求項１１から１４のいずれか１項に記載の方法。
【請求項１６】
前記第２のアップリンクチャネルで受信する段階は、前記第２のアップリンクチャネルで受信したデータに少なくとも部分的に基づいて、多入力多出力通信、フラクショナル・フリークエンシ・リユース、または、フリークエンシ・セレクティブ・スケジューリング、または、これらの組み合わせのうち少なくとも１つについての、コードワードデータ毎の実効信号対干渉およびノイズ比、送信ランクデータ、または、プリコーディングマトリクスインデックスデータ、または、これらの組み合わせを受信する段階を有する請求項１１から１５のいずれか１項に記載の方法。
【請求項１７】
信号対干渉およびノイズ比がより高いユーザは、より高いレートでチャネル品質指標を送信し、前記第２のアップリンクチャネルは、所定数のフレーム内で送信すべきデータがない場合には停止させる請求項１１から１６のいずれか１項に記載の方法。
【請求項１８】
前記第１のアップリンクチャネルまたは前記第２のアップリンクチャネルまたはこれらの組み合わせで受信する段階は、前記第１のアップリンクチャネルまたは前記第２のアップリンクチャネルの並び替えモードに少なくとも部分的に基づいて選択される周波数対サブキャリアのタイル構造を用いてデータを受信する段階、または、前記第１のアップリンクチャネルまたは前記第２のアップリンクチャネルまたはこれらの組み合わせについてのチャネル測定を容易にするべく前記タイル構造において１以上のパイロット信号を受信する段階を有する請求項１１から１７のいずれか１項に記載の方法。
【請求項１９】
前記第１のアップリンクチャネルにおけるデータを復号化するべく準直交シーケンスを利用する段階をさらに備える請求項１１から１８のいずれか１項に記載の方法。
【請求項２０】
前記第２のアップリンクチャネルについて、前記フィードバックの情報の形式に応じてサイズが可変のブロックへと符号化されたペイロードデータを復号化する段階をさらに備え、所定のサイズ以下のペイロードデータは、一の線形ブロック符号を用いて第１の数のビットに符号化されており、前記所定のサイズよりも大きいペイロードデータは、複数の線形ブロック符号を用いて第２の数のビットのブロックを２つ以上反復することによって符号化されている請求項１１から１９のいずれか１項に記載の方法。
【請求項２１】
ベースバンドプロセッサと、
前記ベースバンドプロセッサに結合されている無線周波数送信機と
を備え、
前記ベースバンドプロセッサは、
ダウンリンクチャネルで送信機から送信されるデータを受信して、
第１のアップリンクチャネルまたは第２のアップリンクチャネルで前記送信機にチャネル品質データをフィードバックし、
チャネル品質データは、前記第１のアップリンクチャネルにおいてより低いレートでフィードバックされ、チャネル品質データは、フィードバックすべきデータの量がより多い場合には、前記第２のアップリンクチャネルでより高いレートでフィードバックされ、
前記ダウンリンクチャネル及び前記第２のアップリンクチャネルの両方に対して電力制御を行うために利用される基準値を提供し、これにより最小の信号対干渉およびノイズ比（ＳＩＮＲ）を実現して最低限の変調符号化方式（ＭＣＳ）レベルがサポートされるように前記第２のアップリンクチャネルにおいてアップリンク電力制御を行い、
前記ベースバンドプロセッサは、
前記第２のアップリンクチャネルでフィードバックする場合に、前記第２のアップリンクチャネルにおける送信レートを選択するべくリンク適応化を利用し、
前記送信レートは、チャネル状況またはユーザ位置またはこれらの組み合わせに少なくとも部分的に基づいて選択され、
前記第２のアップリンクチャネルでチャネル品質データのフィードバックが開始すると、前記ダウンリンクチャネルの送信レートがチャネル測定結果に少なくとも部分的に基づいて調整されるように、当該第２のアップリンクチャネルにおけるアップリンク専用パイロットを送信する、装置。
【請求項２２】
前記チャネル品質データは、前記第１のアップリンクチャネルでは周期的にフィードバックされ、前記第２のアップリンクチャネルでは、フィードバックすべき第２のアップリンクチャネルデータがあれば、要求に応じてフィードバックされる請求項２１に記載の装置。
【請求項２３】
前記ベースバンドプロセッサは、
前記第２のアップリンクチャネルについて、一の符号化ブロックを一のタイル構造にマッピングし、
前記マッピングは、１以上の符号化ブロックを第１の数の部分に分割して前記マッピングをより少ない数の情報ビットについて反復することによって行われるか、または、より大きい数の情報ビットについて前記マッピングを反復することなく１以上の符号化ブロックを第２の数の部分に分割することによって行なわれる、請求項２１または２２に記載の装置。
【発明の詳細な説明】
【技術分野】
【０００１】
無線通信システムにおいて、基地局（ＢＳ）から移動局（ＭＳ）または加入局（ＳＳ）への送信等であるダウンリンク（ＤＬ）送信では、複数の送信モードがサポートされている場合がある。ダウンリンク送信の性能は、移動局のチャネルおよびトラフィック状況に応じて複数の送信モードを適宜切り替えることによって、最適化して特定の目標値を実現するとしてよい。フィードバックチャネルを利用して、チャネル品質指標（ＣＱＩ）に関するデータおよび／またはその他のフィードバックデータ、例えば、多入力多出力（ＭＩＭＯ）システムに関する情報をフィードバックして、ダウンリンク適応化をサポートするとしてよい。性能を全体的に最適化することを目的として、ダウンリンク適応化のために適切なメトリックをフィードバックする際、高速動作のロバスト性を実現するためにフィードバックレイテンシを低減する際、アップリンク効率を管理するためにフィードバックを制御する際、および／または、ダウンリンク最適化を実現するためのフィードバック信頼性を制御する際に、フィードバックチャネルを利用するとしてよい。
【図面の簡単な説明】
【０００２】
請求の対象となる主題は、本明細書の結論部分で具体的に説明すると共に明確に請求する。しかし、このような主題は、添付図面と共に以下の詳細な説明を参照しつつ理解されたい。添付図面は以下の通りである。
【０００３】
【図１】１以上の実施形態に係る無線ネットワーク用のチャネル品質フィードバックシステムを示すブロック図である。
【０００４】
【図２】１以上の実施形態に係るチャネル品質フィードバックシステムを用いた無線ワイドエリアネットワークを示すブロック図である。
【０００５】
【図３】１以上の実施形態に係る、時間領域における一次高速フィードバックチャネルおよび二次高速フィードバックチャネルの周期性および頻度の一例を示す図である。
【０００６】
【図４】１以上の実施形態に係る一次高速フィードバックチャネルのタイル構造の一例を示す図である。
【０００７】
【図５】１以上の実施形態に係るアップリンク一次フィードバックチャネルのチャネル構造を示す図である。
【０００８】
【図６】１以上の実施形態に係る一次高速フィードバックチャネルのタイル構造を示す図である。
【０００９】
【図７】１以上の実施形態に係る二次高速フィードバックチャネルの制御タイル構造を示す図である。
【００１０】
【図８】１以上の実施形態に係るタイル構造および符号化ブロックとタイル構造とのマッピングを示す図である。
【００１１】
【図９】１以上の実施形態に係る二次高速フィードバックチャネルにおける３つのＦＭＴの間のインターレースパイロットを示す図である。
【００１２】
【図１０】１以上の実施形態に係るアップリンク二次高速フィードバックチャネルのチャネル構造を示す図である。
【００１３】
【図１１】１以上の実施形態に係るチャネル品質フィードバックシステムの結果の例を説明するための図である。
【００１４】
【図１２】１以上の実施形態に係るチャネル品質フィードバックシステムを実施可能な情報処理システムを示すブロック図である。
【００１５】
図示の便宜上、図中の構成要素は必ずしも実寸に即したものではないと考えられたい。例えば、図示した構成要素のうち幾つかの寸法は、分かりやすいように、他の構成要素に比べて強調している場合もある。また、適切と考えられる場合には、対応する構成要素および／または同様の構成要素については、複数の図面にわたって同じ参照番号を繰り返し用いる。
【発明を実施するための形態】
【００１６】
以下に記載する詳細な説明では、請求の対象となる主題を徹底的に理解していただくべく、具体的且つ詳細な内容を数多く記載する。しかし、当業者におかれては、記載する具体的且つ詳細な内容を用いなくても請求の対象となる主題を実施し得るものと理解されたい。また、公知の方法、手順、構成要素、および／または、回路については、詳細な説明を省略している。
【００１７】
以下に記載する説明および／または請求項では、「結合」および／または「接続」という用語を用いる場合がある。具体的な実施形態によると、「接続」という用語は、２つ以上の構成要素が直接、物理的および／または電気的に接触していることを意味する際に用いるとしてよい。「結合」という用語は、２つ以上の構成要素が直接、物理的および／または電気的に接触していることを意味するとしてよい。しかし、「結合」は、２つ以上の構成要素が直接接触していないが、互いに協働および／またはやり取りをすることも意味するとしてよい。例えば、「結合」という用語は、２つ以上の構成要素が接触していないが間接的に、別の構成要素または中間構成要素を介して、つながっていることを意味するとしてよい。最後に、「〜上に」、「〜を覆って」、および、「〜の上方に」といった表現を、以下の説明および請求項で用いる場合がある。「〜上に」、「〜を覆って」、および、「〜の上方に」といった表現は、２つ以上の構成要素が直接物理的に接触していることを意味するべく用いられるとしてよい。しかし、「〜の上方に」という表現は、２つ以上の構成要素が直接接触していないことも意味するとしてよい。例えば、「〜の上方に」という表現は、１つの構成要素が別の構成要素の上にあるが、接触はしておらず、これら２つの構成要素の間に１以上の別の構成要素が設けられていることも意味するとしてよい。さらに、「および／または」という表現は、「および」、「または」、「排他的論理和」、「１つ」、「全てではなく一部」、「いずれも含まない」、および／または、「両方」を意味するとしてよい。しかし、請求の対象となる主題の範囲はこれに限定されない。以下に記載する説明および／または請求項では、「備える」および「含む」という用語を用いるが、両者は互いに同義語であるとしてよい。
【００１８】
図１を参照すると、１以上の実施形態に係る無線ネットワーク用のチャネル品質フィードバックシステムを示すブロック図が図示されている。図１に示すように、チャネル品質フィードバックシステム１００では、１以上のアンテナ１１２を有する送信機１１０と１以上のアンテナ１１６を有する受信機１１４とが通信するとしてよい。１以上の実施形態によると、送信機１１０は、ダウンリンク（ＤＬ）チャネル１１８を介して受信機１１４にデータパケットを送信するとしてよい。受信機１１４から送信機１１０へのフィードバックは、一次アップリンク（ＵＬ）高速フィードバックチャネル１２０および二次アップリンク高速フィードバックチャネル１２２から構成される２段階適応型フィードバックフレームワークを含むフィードバック構成で行われるとしてよい。一次ＵＬフィードバックチャネル１２０は、受信機１１４から送信機へと、ダウンリンクチャネル１１８に関して、ロバストなデータレートで、広帯域チャネル品質指標（ＣＱＩ）レポートを供給するとしてよい。二次ＵＬフィードバックチャネル１２２は、受信機１１４から送信機１１０へと、適応型送信レートで、サブ帯域ＣＱＩレポートを供給するとしてよい。二次ＵＬ高速フィードバックチャネル１２２は、オーバーヘッドを低減しつつ送信効率を向上させるために、イベント駆動型送信と共にリンク適応化を利用するとしてよい。このような図１に示すような２チャネル型の品質フィードバックシステム１００では、各チャネルの性能を最適化することを目的として、非依存性高速フィードバックチャネル方式に柔軟性を持たせている。例えば、２チャネル型フィードバックシステムは、複数の異なる並び替えモードにおいて性能を最適化するか、略最適化するとしてよい。しかし、請求の対象となる主題の範囲はこれに限定されない。
【００１９】
１以上の実施形態において、一次ＵＬフィードバックチャネル１２０は一次ＣＱＩチャネル（ＰＣＱＩＣＨ）と呼ばれ、二次フィードバックチャネル１２２は二次ＣＱＩチャネル（ＳＣＱＩＣＨ）と呼ばれるとしてよい。最適化ＢＣＨコードは、フィードバック情報を複数の異なるタイルサイズに当てはめるために、比較的設計が簡略化されており複雑性が低い二次（ＳＣＱＩＣＨ）高速フィードバックチャネル１２２および／または一次（ＰＣＱＩＣＨ）高速フィードバックチャネル１２０の両方について利用するとしてよい。１以上の実施形態において、一次高速フィードバックチャネル１２０は、性能を最適化しつつ最高で６個の情報ビットをサポートするべく、長さが、例えば、１２の準直交シーケンスを利用するとしてよく、さらに、順序の多様性をより大きくしてもよい。符号化ゲインおよび周波数ダイバーシティゲインの両方を利用した、高速フィードバックチャネル方式用のタイルサイズおよびパイロットパターンおよび受信機検出方法について詳細に説明する。受信機１１４は、例えば、速度が１２０キロメートル毎時（ｋｍｐｈ）を超える等の高速度でノンコヒーレント検出を行なう高速フィードバックチャネル送信をサポートするノンコヒーレント方式を利用するとしてよい。しかし、請求の対象となる主題の範囲はこれに限定されない。
【００２０】
１以上の実施形態によると、一次ＣＱＩチャネル１２０がサポートしている受信機１１４から送信機１１０への周期的ＣＱＩフィードバック送信のレートおよび頻度は、より低くなっているとしてよい。一次ＣＱＩチャネル１２０は、平均ＣＱＩおよび／または多入力多出力（ＭＩＭＯ）フィードバック情報を送信するとしてよく、受信機１１４から送信機１１０への基本的な接続の信頼性を保証するとしてよい。一次ＣＱＩチャネル１２０は、アップリンクでＣＱＩをフィードバックする必要がある全てのユーザが利用可能であるとしてよい。例えば、一例として図２に図示すると共に同図を参照して説明するように送信機１１０が基地局（ＢＳ）または基地局送受信器である場合、基地局は一次高速フィードバックチャネル１２０についてリソースを割り当てて、各ユーザのチャネル変動特性に基づきフィードバック頻度を特定するとしてよい。尚、ユーザは、加入局または移動局と呼ばれ、受信機１１４として具現化される。リソース割り当て情報は、加入局のＣＱＩフィードバック動作を制御するべく加入局に送信されるとしてよい。
【００２１】
１以上の実施形態によると、二次高速フィードバックチャネル１２２は一次高速フィードバックチャネル１２０よりも、例えば、多入力多出力（ＭＩＭＯ）、フラクショナル・フリークエンシ・リユース（ＦＦＲ）、フリークエンシ・セレクティブ・スケジューリング（ＦＳＳ）等、より高度な方式をサポートしているとしてよく、より効率化が図られており、送信すべきデータがある場合に利用される。さらに、二次高速フィードバックチャネル１２２は、一次高速フィードバックチャネル１２０に比べて、より高い頻度および／またはより細かい粒度で、ＣＱＩフィードバックを供給するとしてよい。つまり、二次高速フィードバックチャネル１２２は、狭帯域のＣＱＩおよびＭＩＭＯフィードバック情報のペイロードフィードバックがより多いとしてよい。このフィードバックされる情報には、要求に応じて、コードワード、送信ランク、および、プリコーディング・マトリクス・インデックス（ＰＭＩ）等の単位でのＭＩＭＯの実効信号対干渉およびノイズ比（ＳＩＮＲ）が含まれているとしてよい。送信は、イベント駆動型であるとしてよい。二次高速フィードバックチャネル１２２のスループットを最大限に高めつつ送信のロバスト性を保証することを目的として、二次高速フィードバックチャネル１２２においてリンク適応化を利用するとしてよい。リンク適応化は、フィードバック効率を高めるべくユーザの位置および／またはチャネル状況に少なくとも部分的に基づいて利用されるとしてよい。このような方式では、中央のユーザが、ＳＩＮＲが比較的高いことを利用して、ＣＱＩの送信をより高いレートで高効率に行なうとしてよい。この結果、二次高速フィードバックチャネル１２２は、ＦＳＳ、ＭＩＭＯ等の方式をサポートするべくより多くのＣＱＩをフィードバックすることになる、ダウンリンクチャネル１１８を介して局所的にリソースが割り当てられたユーザをカバーするとしてよい。一方、チャネル品質が非常に低いユーザは、二次高速フィードバックチャネル１２２を用いてより多くのＣＱＩをフィードバックするという効果を実現する可能性はないとしてよい。基地局は、加入局からの要求毎に、二次高速フィードバックチャネル１２２を割り当てるか否か、いつ二次高速フィードバックチャネル１２２を割り当てるか、関連するリソースの量および対応するインデックス、送信頻度、送信レート等を決定するとしてよく、これらの情報を加入局へと渡すとしてよい。チャネル品質フィードバックシステム１００のさらに詳細な内容については以下で説明する。チャネル品質フィードバックシステム１００を実現するネットワークの一例を、図２に示すと共に同図を参照しつつ以下で説明する。
【００２２】
図２を参照すると、１以上の実施形態に係るチャネル品質フィードバックシステムを用いた無線ワイドエリアネットワークを示すブロック図が図示されている。図２に示すように、ネットワーク２００は、インターネット２１０に対するモバイル無線アクセスおよび／または固定無線アクセスをサポートするインターネット２１０のタイプのネットワーク等を含むインターネットプロトコル（ＩＰ）型のネットワークであってよい。１以上の実施形態によると、ネットワーク２００は、ワールドワイド・インターオペラビリティ・フォー・マイクロウェーブ・アクセス（ＷｉＭＡＸ）規格またはＷｉＭＡＸの今後の世代に準拠したネットワークであってよく、１つの具体的な実施形態によると、米国電気電子学会（ＩＥＥＥ）８０２．１６ｍ規格に準拠したネットワークであってよい。１以上の別の実施形態によると、ネットワーク２００は、第三世代パートナーシップ・プロジェクト・ロング・ターム・エボリューション（３ＧＰＰ  ＬＴＥ）規格、または、３ＧＰＰ２エア・インターフェース・エボリューション（３ＧＰＰ２  ＡＩＥ）規格、第四世代（４Ｇ）無線ネットワーク等に準拠したネットワークであってもよい。一般的に、ネットワーク２００は、任意の種類の直行周波数分割多重アクセス（ＯＦＤＭＡ）無線ネットワークを含むとしてよいが、請求の対象となる主題の範囲はこれに限定されない。モバイル無線アクセスの例を挙げると、アクセスサービスネットワーク（ＡＳＮ）２１２は、加入局（ＳＳ）２１６とインターネット２１０との間で無線通信を実現するべく基地局（ＢＳ）２１４と結合可能である。基地局２１４は、図１に示す送信機１１０および加入局１１４を有形物で具現化するとしてよいが、請求の対象となる主題の範囲はこれに限定されない。加入局２１６は、ネットワーク２００を介して無線通信を実行可能な可動型のデバイスまたは情報処理システムを含むとしてよく、例えば、ノート型コンピュータ、ネットブックコンピュータ、携帯電話、携帯情報端末、スマートフォン等を含むとしてよい。ＡＳＮ２１２は、ネットワーク機能と、ネットワーク１００上の１以上の物理的実体とのマッピングを定義することが可能なプロフィールを実行するとしてよい。基地局１１４は、加入局２１６との無線周波数（ＲＦ）通信を実現するべく無線機器を有するとしてよく、例えば、ＩＥＥＥ８０２．１６ｍ規格に準拠している物理層（ＰＨＹ）および媒体アクセス制御（ＭＡＣ）層の機器を有するとしてよい。基地局２１４はさらに、ＡＳＮ２１２を介してインターネット２１０に結合するためのＩＰバックプレーンを有するとしてよい。しかし、請求の対象となる主題の範囲はこれに限定されない。
【００２３】
ネットワーク２００はさらに、１以上のネットワーク機能を提供することができるビジタ・コネクティビティ・サービス・ネットワーク（ＣＳＮ）２２４を備えるとしてよい。提供されるネットワーク機能は、これに限定されないが、プロキシ機能および／またはリレー機能、例えば、認証・認可・アカウンティング（ＡＡＡ）機能、ダイナミック・ホスト・コンフィグレーション・プロトコル（ＤＨＣＰ）機能またはドメイン名サービス制御等、公衆電話交換回線網（ＰＳＴＮ）ゲートウェイまたはボイス・オーバー・インターネット・プロトコル（ＶＯＩＰ）ゲートウェイ等のドメインゲートウェイ、および／または、インターネットプロトコル（ＩＰ）型のサーバ機能等を含む。しかし、これらはビジタＣＳＮまたはホームＣＳＮ２２６が提供可能な種類の機能の一例に過ぎない。請求の対象となる主題の範囲はこれに限定されない。ビジタＣＳＮ２２４は、例えば、ビジタＣＳＮ２２４が加入局２１６の通常サービスプロバイダの一部でない場合、例えば、加入局１１６がホームＣＳＮ２２６等のホームＣＳＮから離れておりローミング中である場合、または、例えば、ネットワーク２００が加入局の通常サービスプロバイダの一部であるがネットワーク２００が加入局２１６のメイン位置またはホーム位置ではない別の位置または状態にある場合に、ビジタＣＳＮと呼ぶとしてよい。固定無線方式では、ＷｉＭＡＸ型の顧客構内設備（ＣＰＥ）２２２が家庭内またはオフィス内に配置されているとしてよく、個人または法人の顧客からインターネット２１０に対するブロードバンドアクセスを基地局２２０、ＡＳＮ２１８、および、ホームＣＳＮ２２６を介して、加入局２１６による基地局２１４、ＡＳＮ２１２、および、ビジタＣＳＮ２２４を介したアクセスと同様の方法で、提供するとしてよい。違いは、ＷｉＭＡＸ  ＣＰＥ２２２は、必要に応じて別の位置に移動させる可能性もあるが、一般的に静止位置に配置される。一方、加入局は、例えば、加入局２１６が基地局２１４の範囲内にいれば、１以上の異なる箇所で利用され得る。１以上の実施形態によると、オペレーション・サポート・システム（ＯＳＳ）２２８は、ネットワーク２００の管理機能およびネットワーク２００の機能実体間のやり取りを実行する、ネットワーク２００の一部であってよい。図２のネットワーク２００は、ネットワーク２００が有する所定数の構成要素を示す一種の無線ネットワークに過ぎず、請求の対象となる主題の範囲はこれに限定されない。
【００２４】
図３を参照すると、１以上の実施形態に係る、時間領域における一次高速フィードバックチャネルおよび二次高速フィードバックチャネルの周期性および頻度の一例を示す図が図示されている。図３に示すように、一次高速フィードバックチャネル１２０は、複数のフレーム３１０で周期的にＣＱＩをフィードバックするユーザをＮ個毎にサポートすることができる。Ｎ個のユーザについてのＣＱＩのフィードバックは、一次高速フィードバック制御チャネル１２０よりも二次高速フィードバック制御チャネル１２２の方が、より高頻度であるとしてよい。二次高速フィードバックチャネル１２２への割り当ては、所与のユーザのトラフィック状況および／またはチャネル変動に応じて、イベント駆動型で行なわれるとしてよい。アップリンクの二次高速フィードバックチャネル１２２は、バッファにトラフィックがある場合または続くｎ個のフレーム３１２の間に到着が期待される場合にのみ割り当てられるとしてよく、バッファ内にトラフィックが無い場合で、続くｍ個のフレームの間到着が期待されない場合には取り消されるとしてよい。また、一次高速フィードバックチャネル１２０は、電力制御における基準値を提供するこいとができる。この基準値は、データチャネルおよび二次高速フィードバックチャネル１２２の両方に対して電力制御を行うために利用されるとしてよい。二次高速フィードバックチャネル１２２は、ユーザ機器（ＵＥ）が最小ＳＩＮＲを実現して最低限または略最低限の変調符号化方式（ＭＣＳ）レベルがサポートされるようにするために、アップリンク電力制御を行うとしてよい。
【００２５】
１以上の実施形態によると、二次高速フィードバックチャネル１２２上でのリンク適応化をサポートするために用いられる方法は複数あるとしてよい。第１の実施形態によると、リンク適応化は、基地局２１４として具現化される送信機１１０において長期間にわたって測定されるアップリンクＳＩＮＲ等の長期チャネル統計データに基づいて行なわれるとしてよい。別の実施形態によると、加入局２１６として具現化される受信機１１４は、最低限または略最低限の変調を用いて送信を開始するとしてよい。基地局２１４として具現化されている送信機１１０は、加入局２１６が割り当てられて二次高速フィードバックチャネル１２２でＣＱＩのフィードバックを開始すると、二次高速フィードバックチャネル１２２のアップリンク専用パイロットを用いてチャネル測定結果に少なくとも部分的に基づいてレートを調整するとしてよい。さらに別の実施形態によると、一次高速フィードバックチャネル１２０は、ユーザのうち１以上のユーザについてチャネル測定を容易にするべく専用パイロットを供給するとしてよい。二次高速フィードバックチャネル１２２を用いるユーザについて、最初の変調符号化方式（ＭＣＳ）レベルは、一次高速フィードバックチャネル１２０によって測定されるチャネル品質に基づいて選択されるとしてよく、各ユーザのレートは前述の実施形態と同様の方法で調整されるとしてよい。さらに別の実施形態によると、適応レートは、サウンディングサブチャネルおよび／または候補サブチャネルの専用パイロットに少なくとも部分的に基づいて決まるとしてよい。
【００２６】
１以上の実施形態によると、基地局２１４として具現化されている送信機１１０は、二次高速フィードバックチャネル１２２でのＣＱＩの送信を要求しているユーザに候補チャネルを割り当てるとしてよい。ユーザのうち１以上のユーザについての候補サブチャネルのチャネル品質は、専用パイロットによって測定される。品質に関して、二次高速フィードバックチャネル１２２の対応する変調符号化方式（ＭＣＳ）は、選択されたユーザの特定のサブチャネルにおいて割り当てられるとしてよい。続くフレームにおいて、割り当てられたサブチャネルにおいてＣＱＩデータが送信される。
【００２７】
上記の実施形態について、リンク適応化は、アップリンクの不確定なチャネル変動および干渉を補償するべく所定量のマージンが維持されるという点において、精度が低い場合がある。１以上の実施形態によると、合成符号化に基づくブロック符号は、さらに詳細に後述するが、３×６構造、６×６構造、または、２×６構造等の特定のタイル構造に少なくとも部分的に基づき、最高で１２個または２４個の情報ビットをサポートするとしてよい。しかし、選択する方法では、異なるリソースブロックサイズおよび／またはタイル構造に適応化することができる。また、各ユーザのＣＱＩ毎の総ビットが、例えば、ユーザが選択するＭＩＭＯが変わるとそれに応じて変化する場合があることを考えると、リソースの利用を最適化するべく１以上のリソースブロック内で複数のレートおよび／またはＭＣＳレベルをサポートすることによって、より細かい粒度レベルが用意されるとしてよい。フィードバック構造のさらに詳細な内容については後述する。
【００２８】
図４を参照すると、１以上の実施形態に係る一次高速フィードバックチャネルのタイル構造の一例を示す図が図示されている。図４に示すように、３×６のタイル構造４１０が、グラフ４１２では分散した状態で、グラフ４１４ではホッピング局所型の状態で図示されている。１以上の実施形態によると、アップリンクフィードバックチャネルの並び替えモードが局所型、分散型またはホッピング局所型かに応じて、一次高速フィードバックチャネル１２０を設計する方法は複数あるとしてよい。尚、並び替えモードが分散型またはホッピング局所型は、タイル構造およびパイロットパターンが同じであるとしてよい。局所的モードであれば、論理チャネルである一次高速フィードバックチャネル１２０は、１個のタイルのサイズである６個の連続したサブキャリア×６個の直交周波数分割多重（ＯＦＤＭ）シンボルを占有するとしてよい。これは、６×６タイル構造と省略されるとしてよく、拡散利得を大きくするべく複数の異なるアップリンク局所的制御リソースユニットから選択されるとしてよい。
【００２９】
他の２つの並び替えモードでは、２つの設計方式がある。第１の方式では、一次高速フィードバックチャネル１２０の論理チャネルは、周波数ダイバーシティのために複数の異なるアップリンクの分散した制御リソースユニットから選択される２つのアップリンクフィードバックミニタイル（ＵＬ  ＦＭＴ）を占有するとしてよい。この方式では、ＵＬ  ＦＭＴはそれぞれ、図４に示すように、３つの連続したサブキャリア×６つのＯＦＤＭシンボルと定義され、３×６のタイル構造と呼ばれるとしてよい。第２の方式では、一次高速フィードバックチャネル１２０の論理チャネルは、周波数ダイバーシティのために複数の異なるアップリンクの分散した制御リソースユニットから選択される３つのアップリンクのフィードバックミニタイル（ＵＬ  ＦＭＴ）を占有するとしてよい。この方式では、１以上のＵＬ  ＦＭＴは、２個の連続するサブキャリア×６個のＯＦＤＭシンボルと定義されるとしてよい。これは、２×６のタイル構造と呼ばれることがあり、３×６のタイル構造と同様である。１以上の実施形態によると、上述した３つのケースではいずれも、同じブロックサイズが利用される。つまり、６×６のタイル構造が利用される。一次高速フィードバックチャネル１２０のチャネル構造の一例は、図５に図示すると共に同図を参照しつつ後述する。
【００３０】
図５および図６を参照すると、１以上の実施形態に係るアップリンクの一次フィードバックチャネルのチャネル構造を示す図を図示する。図５は、タイルサイズが３×６および２×６の場合の一次高速フィードバックチャネル１２０に関するシンボル生成手順５００を示す図である。４ビットのペイロード５１０を一例として用いると、ブロック５１２において４ビットのペイロード５１０をブロック符号で１６ビットに符号化して、ブロック５１４において２回反復を適用する。２×６のタイルサイズを利用する場合には、４ビットのペイロード５１０は準直交シーケンスによって１２ビットに符号化された後、ブロック５１４において３回反復が適用されるとしてよい。この後、反復された符号化ビットは、ブロック５１６において２位相偏移変調（ＢＰＳＫ）方式で変調されて、ブロック５１８において１つのＵＬ  ＦＭＴにマッピングされるとしてよい。図６に示すように、タイルサイズが３×６の一次高速フィードバックチャネル１２０の各タイル４１０について、２つのトーンがヌルトーン６１０となっている。一方、タイルサイズが２×６の場合には、すべてのトーンがデータ送信に利用される。６×６のタイル構造は、図６に図示したものと同様の手法で導き出すとしてよいし、または、設計の複雑性を低くするべく統一パイロットパターンについて、図７に図示すると共に同図を参照して後述する二次高速フィードバックチャネル１２２の構造を用いて導き出すとしてもよい。このような構造では、性能に差が出ないことが多い。チャネルシンボル生成手順は、６×６のタイルサイズを用いる場合も、図５に示す手順５００と同様であり、拡散利得を大きくするべく４ビットのペイロード５１０を３２ビットに直接符号化する。このような構成では、ブロック５１４での２回反復は省略されるとしてよい。一次高速フィードバックチャネル１２０の検出のためには、後述するようにノンコヒーレント検出を利用するとしてよい。
【００３１】
１以上の実施形態によると、送信機は、複数の所定のシーケンスのうち１つを、複数の隣接する周波数サブキャリアおよび複数の隣接するＯＦＤＭシンボルで送信する。シーケンスのエントリはそれぞれ、１つのサブキャリアを変調する。チャネル相関が受信機において既知であれば、このセクションで高機能受信機を適用することが可能である。複数の異なるサブキャリアについてのチャネル相関は、チャネル遅延拡散から推定することができる。複数の異なるＯＦＤＭシンボルについてのチャネル相関は、ドップラーから推定することができる。高機能受信機は、周波数および時間が異なる２つのサブキャリアの相関が低い場合、例えば、速度が速い場合に直接クロス相関（ｄｉｒｅｃｔ  ｃｒｏｓｓ  ｃｏｒｒｅｌａｔｉｏｎ）が適用されると、エラーフロアの問題を解決するために特に有用である。
【００３２】
送信機は、複数の所定のシーケンスのうち１つを、複数の隣接する周波数サブキャリアおよび複数の隣接するＯＦＤＭシンボルで送信する。シーケンスのエントリはそれぞれ、１つのサブキャリアを変調する。受信機は、複数の所定のシーケンスのうちどのシーケンスがチャネル応答を推定することなく送信されたかを検出したいと考える。所定のシーケンスを以下の式で表す。
【数１】
0005542159.tif 000002
式中、Ｎｆはシーケンスの長さを表し、Ｎｃは所定のシーケンスの数を表す。受信した信号は以下の式で表される。
【数２】
0005542159.tif 000003
式中、ｉ０は送信されたシーケンスのインデックスを表し、ｊはフィードバックチャネル内のサブキャリアのインデックスを表し、ｈ（ｊ）はｊ番目のサブキャリアのチャネル応答を表し、ｎ（ｊ）はｊ番目のサブキャリアのＡＷＧＮを表す。また、ｈ（ｊ）およびｎ（ｊ）は、分散が１およびσ２であるゼロ平均ガウス分布、つまり、ｈ（ｊ）〜ＣＮ（０，１）およびｎ（ｊ）〜ＣＮ（０，σ２）であると仮定される。チャネル応答は受信機には不明であると仮定されるが、サブキャリア間のチャネル応答の相関は既知であると仮定される。つまり、以下の式が得られる。
【数３】
0005542159.tif 000004
シーケンス検出のためには、以下の式を利用する。
【数４】
0005542159.tif 000005
そして、以下のように表される。
【数５】
0005542159.tif 000006
ｎ（ｊ）およびｃｉ（ｊ）は非依存性であり、以下の式が成り立つ。
【数６】
0005542159.tif 000007
このため、ｎ（ｊ）およびη（ｊ）は分布が同じである。また、候補シーケンスｃｉが送信されたシーケンスｃｉ０であれば、ｌｃｉ（ｊ）定数は１に等しい。そうでなければ、ｌｃｉ（ｊ）はｊ＝１，・・・，Ｎｆについての非依存性且つランダムな相回転であるので、数７の第一項は非依存性のガウスランダム変数である。各シーケンスは可能性が同じであるので、最大事後検出は最大尤度検出と同じである。送信されたシーケンスｃｉ０の最大尤度検出は以下の式で表される。
【数７】
0005542159.tif 000008
条件付き確率は以下の式で算出される。
【数８】
0005542159.tif 000009
式中、ｃはｃｉに依存しない正規化係数である。数８を数７に代入すると以下のようになる。
【数９】
0005542159.tif 000010
相関Ｒが受信機において既知でない場合には、Ｒはアソシエーション要求およびＡＣＫ等の先行するアップリンクトラフィックから推定することができる。そうでない場合には、最大事後（ＭＡＰ）検出は、以下の式に示すように項を１つ追加することによって、数７から得ることができる。
【数１０】
0005542159.tif 000011
式中、以下の通りである。
【数１１】
0005542159.tif 000012
基地局は、Ｒの分布、つまり、ｐ（Ｒ）を推定するために、且つ、数１１を数字で評価するために、Ｒのサンプルを取得するとしてよい。複雑性を低くするために、Ｒは、ドップラー速度によってパラメータ化するとしてよく、数個のみ、例えば、４個の速度のみを数１１の評価のために選択する。さらに複雑性を低くするべく、速度のＲ、つまり、中速または高速、例えば、１００ｋｍ／ｈまたは３００ｋｍ／ｈが、数１０および数１１を発生させることなく、（１４）で用いられる。この理由は、Ｒはｒｃｉに対してローパスフィルタとして機能し、ドップラー速度は主に、最も高い通過周波数を制御するためである。正確なＲは、性能損失を低く抑えつつ、さまざまなローパスフィルタと交換することが可能である。複雑性を低くするべく、一定の量は事前に計算して格納しておくことが可能である。例えば、Ｒｒは、事前にさまざまな速度について計算してルックアップテーブルに格納しておくことが可能である。しかし、請求の対象となる主題の範囲はこれに限定されない。
【００３３】
図７および図８を参照すると、１以上の実施形態に係る二次高速フィードバックチャネルの制御タイル構造、および、符号化ブロックとタイル構造とのマッピングを示す図が図示されている。二次高速フィードバックチャネル１２２は、上述した一次高速フィードバックチャネル１２０と同様に、ブロックサイズが６×６であるとしてよく、タイルサイズは、分散型／ホッピング局所型モードでは３×６または２×６で、局所型／分散型モードでは６×６であってよい。図７に示すように、タイルサイズが３×６の場合、１つの６×６のブロックは、複数の異なるアップリンク分散リソースユニット（ＵＬ  ＤＲＵ）から選択された２つのＵＬ  ＦＭＴ７１０から構成されているとしてよい。ＵＬ  ＦＭＴ７１０は、３つの固定位置パイロットトーン７１２を含み、３つの連続したサブキャリアと６つのＯＦＤＭシンボルとから成る時間−周波数ブロックを含むとしてよい。タイルサイズが２×６の場合、１つの６×６のブロックは、複数の異なるＵＬ  ＤＲＵから選択された３つのＵＬ  ＦＭＴ７１４から構成されているとしてよい。このような構成では、ＵＬ  ＦＭＴ７１４は、２つの固定位置パイロットトーン７１６を含み、２つの連続したサブキャリアと６つのＯＦＤＭシンボルとから成る時間−周波数ブロックを含むとしてよい。パイロットパターンは、図７または図８のいずれに示したものであってもよい。さらに、カバーする範囲を大きくするべく、図９に示すようなインターレース方式パイロット構造９１０を利用するとしてもよい。タイルサイズが６×６の場合、ＵＬ  ＦＭＴ７１８は４つの固定位置パイロットトーン７２０を利用するとしてもよい。
【００３４】
図９および図１０を参照すると、１以上の実施形態に係る二次高速フィードバックチャネルにおける３つのＦＭＴでのインターレース方式のパイロットおよびチャネル構造を示す図が図示されている。二次高速フィードバックチャネル１２２の構造を構成するプロセスは図１０に図示している。最初に、各ブロックのＵＬの改善フィードバックペイロード１０１０は、１個から１１個の情報ビットを含んでおり、ブロック１０１２において、ブロック符号で、タイルサイズが３×６または２×６の場合は３０ビットの長さに符号化され、最後の２つの列は欠けており、タイルサイズ６×６の場合には３２ビットの長さに符号化される。この後、シーケンスは、２回反復させるとしてよく、ブロック１０１４において四位相偏移変調（ＱＰＳＫ）方式で変調する。変調後のシンボルは、アップリンクの改善された高速フィードバック制御チャネルのデータサブキャリアにマッピングされるとしてよい。
【００３５】
符号化ブロックと２×６のタイル構造とのマッピングの一例を図８に示す。具体的には、ブロック符号を用いる場合、二次高速フィードバックチャネル１２２のペイロードのｌ個の情報ビットａ０ａ１ａ２・・・ａｌ−１を線形ブロック符号を用いて６０個のビットｂ０ｂ１ｂ２・・・ｂ５９に符号化する。６＜ｌ≦１２の場合、情報ビットａ０ａ１ａ２・・・ａｌ−１は、線形ブロック符号（６０，ｌ）を用いて符号化するとしてよい。１２＜ｌ≦２４の場合、情報ビットａ０ａ１ａ２・・・ａｌ−１は、２つの部分に分割される。部分Ａは、ａ０ａ１ａ２・・・ａ［ｌ／２］−１を含み、部分Ｂは、ａ［ｌ／２］ａ［ｌ／２］＋１ａ［ｌ／２］＋２・・・ａｌ−１を含む。部分Ａは、線形ブロック符号（３０，［ｌ／２］）を用いて３０ビットｂ０ｂ１ｂ２・・・ｂ２９に符号化されるとしてよく、部分Ｂは、線形ブロック符号（３０，ｌ−［ｌ／２］）を用いて３０ビットｂ３０ｂ３１ｂ３２・・・ｂ５９に符号化されるとしてよい。符号化されたシーケンスｂ０ｂ１ｂ２・・・ｂ５９はこの後、ＱＰＳＫ変調を用いて３０個のシンボルｃ０ｃ１ｃ２・・・ｃ２９に変調されるとしてよい。このような方法では、ｃｉ（ｉ＝０，１，・・・２９）は、符号化ビットｂ０ｂ１ｂ２・・・ｂ２９を同相成分にマッピングして、符号化ビットｂ３０ｂ３１ｂ３２・・・ｂ５９を直角位相成分にマッピングすることによって形成される。変調後のシンボルｃ０ｃ１ｃ２・・・ｃ２９およびパイロットシーケンスｐ０ｐ１は、図９に示すように、二次高速フィードバックチャネル１２２のＦＭＴ７１４のデータサブキャリアにマッピングされるとしてよい。
【００３６】
以下に示す表１は、タイルサイズが２×６の場合の一次高速フィードバックチャネル１２０の準直交シーケンスを示す。これらのシーケンスの相互相関は、６、４、２、０である。このような方式では、最高で６個の情報ビットの送信をサポートすることが可能であり、前の１６個のシーケンスを４ビットを送信する際に用いることができ、前の３２個のシーケンスを５ビットを送信する際に用いることができるとしてよい。表２は、タイルサイズが２×６の場合の一次高速フィードバックチャネル１２０の別の準直交シーケンス群を示す。これらのシーケンスの相互相関は、４，０である。このような方式では、最高で６個の情報ビットの送信をサポートすることが可能であり、前の１６個のシーケンスを４ビットを送信する際に用いることができ、前の３２個のシーケンスを５ビットを送信する際に用いることができるとしてよい。
【表１】
0005542159.tif 000013
【表２】
0005542159.tif 000014
【００３７】
本明細書で用いるブロック符号は、一次高速フィードバックチャネル１２０および／または二次高速フィードバックチャネル１２２の合成チャネル符号化に少なくとも部分的に基づいて決められているとしてよい。ＣＱＩの情報ビットは、２つの別個のブロック符号によって符号化される。情報ビットの数は、１ビットから１１ビットであってよく、ａ０ａ１ａ２・・・ａＫ−１と表され、Ｋ＝１・・・１１である。１以上の実施形態によると、以下に示す表３および表４では、さまざまな数の情報ビットについて２つのブロック符号が定義されている。コードワードは、以下の表３および表４においてＳｉ，ｎと表す基礎シーケンスを６個または１２個線形に組み合わせることによって得られるとしてよい。
【表３】
0005542159.tif 000015
【表４】
0005542159.tif 000016
【００３８】
本明細書で用いるブロック符号は、二次高速フィードバックチャネル１２２については長さが６０であるとしてよい。二次高速フィードバックチャネル１２２の情報ビットは、線形ブロック符号を用いて符号化されるとしてよい。１以上の実施形態によると、コードワードの長さＮは、６０を超えないとしてよい。情報ビットの数Ｋは、６ビットから１２ビットの間で変動するとしてよく、ａ０ａ１ａ２・・・ａＫ−１と表され、６≦Ｋ≦１２である。コードワードは、以下の表５においてＳｉ，ｎと表す基礎シーケンスをＫ個線形に組み合わせることによって得られるとしてよい。尚、ｉ＝０・・・Ｋ−１である。
【表５】
0005542159.tif 000017
【００３９】
１以上の実施形態によると、ｂ０ｂ１ｂ２・・・ｂＮ−１が長さがＮのコードワードを表している場合、コードワードの任意の成分は以下の式で表すものとして生成される。
【数１２】
0005542159.tif 000018
式中、ｎ＝０，１，２，・・・，Ｎ−２である。Ｎ−１個の成分が生成された後、パリティチェックビットがコードワードに付加される。パリティチェックビットは、コードワードにおいて「１」が奇数回見られる場合には１に設定され、それ以外の場合には「０」に設定される。
【００４０】
図１１を参照すると、１以上の実施形態に係るチャネル品質フィードバックシステムの結果の例を示す図が図示されている。ＩＥＥＥ８０２．１６ｍに準拠したリンクレベルシミュレータ（ＬＬＳ）を用いたシミュレーションプラットフォームに基づき、さまざまな並び替えモードの性能を評価した。チャネルモデルは、国際電気通信連合（ＩＴＵ）、携帯端末、ピーク電力、（ＰＡ）３キロメートル毎時（ｋｍｐｈ）、および、ＩＴＵ、ピーク送信電力、（ＰＢ）３ｋｍｐｈを含み、４ビットの一次高速フィードバックチャネル１２０について、ノンコヒーレント検出を用いて性能の評価を行った。二次高速フィードバックチャネル１２２に関連した評価については、最小平均二乗誤差（ＭＭＳＥ）に基づくチャネル推定を含むモバイルリンク（ＭＬ）検出が用いられた。図１１のグラフ１１１０から、パケットエラーレート（ＰＥＲ）＝１０％の場合、タイルサイズが６×６で局所的並び替えとすると、タイルサイズが３×６で分散型モードよりもわずかに良好な結果が得られているが、ＰＥＲが低くなると、タイルサイズ３×６の方が６×６よりも良好になることが分かる。基本的に、タイルサイズが３×６の場合の結果を表す曲線は、６×６の曲線よりも傾きが大きいが、アンテナの数を増やせば差は小さくなる可能性がある。実際のシステムでは、適切なタイルサイズはＣＱＩの設計目標に応じて選択されるとしてよい。以下に示す表６は、ＰＥＲの目標値を１％および１０％とした場合にさまざまなケースでの信号ノイズ比（ＳＮＲ）をデシベル（ｄＢ）で表したものである。
【表６】
0005542159.tif 000019
【００４１】
受信機アンテナを４つ用いる場合（４ＲＸ）、ＳＮＲは−８．５ｄＢと低くなり、システム設計は十分なロバスト性を持つことが分かる。このため、ＣＱＩ接続の信頼性が維持され、および／または、最高で５キロメートル（ｋｍ）というセルサイズまでカバーし得る。一次高速フィードバックチャネル１２０の４／５／６ビットのペイロードについて２×６のタイルサイズを用いる場合、曲線の傾きは、３回反復することによって周波数ダイバーシティゲインが大きくなるので、３×６よりもわずかに大きくなるとしてよい。また、携帯デバイス速度（ＶＡ）が３５０ｋｍｐｈの結果から、ノンコヒーレント検出について受信機の性能が向上していることが分かる。これが無ければ、ＰＥＲ＝０．０１となる前にＥＦが発生する。図１１のグラフ１１１２は、１１ビットのペイロードを６×６のブロックサイズで送信する際にＰＢ３ｋｍｐｈとして１×２および１×４の性能を示すグラフである。当該グラフによると、タイルサイズを３×６とした場合の結果は、受信機アンテナが２つの場合には、ＰＥＲ＝１０％において約２ｄＢ、ＰＥＲ＝１％において４ｄＢ、タイルサイズ６×６を上回っており、受信機アンテナが４つの場合にはそれぞれ１ｄＢおよび２．５ｄＢ上回っている。このような結果が得られたのは、周波数ダイバーシティゲインのためであると考えられ、例えば、ダイバーシティ・オーダ＝２として３×６のタイルを２つ用いる場合、タイルサイズが３×６の場合の性能が好ましいことが分かる。尚、図１１では、性能シミュレーションを用いた結果の例を示しており、請求の対象となる主題の範囲はこれに限定されない。チャネル品質データフィードバックを用いた情報処理システムを、図１２に図示すると共に同図を参照しつつ後述する。
【００４２】
図１２を参照すると、１以上の実施形態に係るチャネル品質フィードバックシステムを実施可能な情報処理システムを示すブロック図が図示されている。図１２に示す情報処理システム１２００は、図２に図示すると共に同図を参照しつつ説明したネットワーク２００のネットワーク素子のうち１以上を有形物として具現化するとしてよい。例えば、情報処理システム１２００は、基地局２１４および／または加入局２１６のハードウェアを表しているとしてよく、特定のデバイスまたはネットワーク素子のハードウェア仕様に応じて構成要素の数は増減し得る。情報処理システム１２００は複数の種類のコンピューティングプラットフォームの一例を表しているが、図１２に図示した内容に比べて、情報処理システム１２００が備える構成要素は増減し得るもので、および／または、構成要素の組み合わせも変更し得るとしてよい。請求の対象となる主題の範囲はこれに限定されない。
【００４３】
情報処理システム１２００は、プロセッサ１２１０および／またはプロセッサ１２１２等の１以上のプロセッサを備えるとしてよい。プロセッサは、１以上のプロセッシングコアを有するとしてよい。プロセッサ１２１０および／またはプロセッサ１２１２のうち１以上は、メモリブリッジ１２１４を介して１以上のメモリ１２１６および／または１２１８に結合されているとしてよい。メモリブリッジ１２１４は、プロセッサ１２１０および／あるいは１２１２の外部に設けられているとしてよく、または、プロセッサ１２１０および／あるいは１２１２のうち１以上の内部に少なくとも一部が設けられているとしてもよい。メモリ１２１６および／またはメモリ１２１８は、さまざまな種類の半導体メモリを含むとしてよく、例えば、揮発性メモリおよび／または不揮発性メモリを含むとしてよい。メモリブリッジ１２１４は、情報処理システム１２００に結合されている表示デバイス（不図示）を駆動するべく、グラフィクスシステム１２２０に結合されているとしてもよい。
【００４４】
情報処理システム１２００はさらに、さまざまな種類のＩ／Ｏシステムに結合されている入出力（Ｉ／Ｏ）ブリッジ１２２２を備えるとしてよい。Ｉ／Ｏシステム１２２４は、例えば、１以上の周辺デバイスを情報処理システム１２００に結合するユニバーサルシリアルバス（ＵＳＢ）システム、ＩＥＥＥ１３９４に準拠したシステム等を含むとしてよい。バスシステム１２２６は、１以上の周辺デバイスを情報処理システム１２００に接続するべく、ペリフェラル・コンポーネント・インターコネクト（ＰＣＩ）エクスプレスに準拠したバス等のバスシステムを１以上含むとしてよい。ハードディスクドライブ（ＨＤＤ）コントローラシステム１２２８は、１以上のハードディスクドライブ等、例えば、シリアルＡＴＡに準拠したドライブ、または、これに代えて、フラッシュメモリ、相変化メモリ、および／あるいは、カルコゲナイド型のメモリ等を含む半導体を利用したドライブ等を情報処理システムに結合するとしてよい。スイッチ１２３０は、１以上の切り替え後のデバイス、例えば、ギガビット・イーサネット（登録商標）デバイス等をＩ／Ｏブリッジ１２２２に結合するために用いられるとしてよい。また、図１２に示すように、情報処理システム１２００は、例えば、情報処理システム１２００が基地局２１４および／または加入局２１６を具現化している場合には、他の無線通信デバイスとの無線通信、および／または、図２のネットワーク２００等の無線ネットワークを介した無線通信のために無線周波数（ＲＦ）回路およびＲＦデバイスを有するＲＦブロック１２３２を備えるとしてよい。しかし、請求の対象となる主題の範囲はこれに限定されない。１以上の実施形態によると、ＲＦブロック１２３２は、少なくとも一部として、図１の送信機１１０および／または受信機１１４を有するとしてよい。さらに、送信機１１０または受信機１１４の少なくとも一部、例えば、ベースバンド信号および／または直角位相信号の処理を含む送信機１１０のデジタル機能は、プロセッサ１２１０によって実現されるとしてよい。しかし、請求の対象となる主題の範囲はこれに限定されない。
【００４５】
請求の対象となる主題をある程度詳細に説明したが、その構成要素は請求の対象となる主題の意図および／または範囲から逸脱することなく当業者によって変更し得るものと理解されたい。無線通信システムにおけるチャネル品質データの送信に関する主題および／またはそれに付随する有用性の多くは上記の説明から理解されるものと考えられ、請求の対象となる主題の意図および／または範囲から逸脱することなく、または、請求の対象となる主題の重要な利点の全てを犠牲にすることなく、および／または、さらに、請求の対象となる主題を実質的に変更することなく、構成要素の形態、構成および／または組み合わせをさまざまな点で変更し得ることは明らかである。尚、本明細書で上述した形態は説明のための実施形態に過ぎない。請求項は、このような変更を全て含むものとする。
【図１】
0005542159.tif 000020
【図２】
0005542159.tif 000021
【図３】
0005542159.tif 000022
【図４】
0005542159.tif 000023
【図５】
0005542159.tif 000024
【図６】
0005542159.tif 000025
【図７】
0005542159.tif 000026
【図８】
0005542159.tif 000027
【図９】
0005542159.tif 000028
【図１０】
0005542159.tif 000029
【図１１】
0005542159.tif 000030
【図１２】
0005542159.tif 000031